(57)【要約】      （修正有）【課題】簡便な構成で、調理室内を均一な温度に保持できるカセットコンロ用脚付加熱調理器を提供する。【解決手段】カセットコンロ用脚付加熱調理器は、箱体１ａの底部四隅に設けた脚注７の内側に配置されるカセットコンロの燃焼熱を導炎装置２６により案内し、散熱盤で受けつつ、二重構造底板との隙間を循環して調理室に誘導する形態で、調理室内壁の側壁側に向かう熱の一部を熱流調整盤で調理室の前方に迂回させ、調理室内の温度が均一に保てるよう構成している。【選択図】図２
0003182442.tif 000002
【実用新案登録請求の範囲】
【請求項１】
箱体下部の四隅に接続する４本の脚柱内側に設置されたカセットコンロのガス燃焼熱を用いて、前記箱体内に形成される調理室内を加熱することにより、該調理室内の調理物を調理可能とするカセットコンロ用脚付加熱調理器であって、前記箱体上部には、鍋類などが載置可能な開口部を有し、前記箱体下部には、前記燃焼熱を取り入れる開口部を有し、また、前記箱体前方には、のぞき窓を有した扉を配した構成とし、略全域にわたって内壁と外壁の間に隙間を有した二重構造とし、前記調理室の下方に載置した散熱盤と二重構造底板の間の隙間を経て前記調理室内に前記燃焼熱を案内することにより、前記調理室内を循環可能とし、側壁側に向かう熱の一部を前方の扉方向に迂回させ、前記調理室内の温度が均一に保てるように構成されたことを特徴とするカセットコンロ用脚付加熱調理器。
【請求項２】
前記箱体底面開口部にカセットコンロの炎及び熱を前記調理室に案内するため、高さが調節可能な導炎装置を備えたことを特徴とした請求項１に記載のカセットコンロ用脚付加熱調理器。
【考案の詳細な説明】
【技術分野】
【０００１】
本考案は、カセットコンロの熱源を用いて、底部に開口部を持つ箱体型の内部を構成する調理室を加熱することにより、調理室内の調理物の調理可能な加熱調理器に関し、特に屋内（卓上）において好適に使用可能なカセットコンロ用脚付加熱調理器に関する。
【背景技術】
【０００２】
従来、ガスを熱源とするオーブン機能を持たせた加熱調理器は、都市ガス、ＬＰガスなどに存在するが設備が大型化し、設置場所に制限を受けた。又、それらは、移動させることを目的としない為、軽量さに欠け、利用目的も限られていた。又、ガステーブルに上乗せするタイプで底部に開口部を持つガスオーブンも存在したが、使用断熱材や火災等種々の社会的問題が生じ現在では生産されていない。
【考案の概要】
【考案が解決しようとする課題】
【０００３】
既存するオーブン形式の加熱調理器は、シンク収納型や固定設置型があり、焼きムラを防ぐ為、ファンを回すことにより熱風を循環させていた。又、設置型ガステーブルの上に乗せる形式の物も存在した。前者は、ガス以外に電気を要し、設置場所も限られ大型であった。後者は、調理室外壁と内壁の隙間に熱風を送る構成で、壁面を高温に至らしめ危険で、かつ、焼きムラが生じ、調理の途中で調理物の向きや位置を変えてやらなければならなかった。いずれも熱源となるガス設備が簡便でなく、小型簡便なガス設備で、調理室内の温度効率良く、かつ、安全な調理器具にする点に改良の余地があった。
本考案は、上述の課題を解決するものであり、簡便な構成で電源不要、かつ、外壁が過熱状態にならない構造で、さらに、焼きムラを生じない、安全で簡便な構成のカセットコンロ用脚付加熱調理器を提供することを目的とする。
【課題を解決するための手段】
【０００４】
本考案に係るカセットコンロ用脚付加熱調理器は、前記略調理器の下方に配置されるカセットコンロの燃焼熱を、導炎装置を用いて誘導し、調理室内を加熱することにより、調理室内の調理物を調理する加熱調理器であって、導炎装置により上昇した熱を散熱盤で受け止めた後、調理室底面内部と散熱盤の隙間を循環し、調理室内部に至らしめ、其の一部の熱を熱流調整板で前方に迂回させることにより焼きムラ防止を図る構成を特徴とする。
【０００５】
本考案のカセットコンロ用脚付加熱調理器は、底部に開口部を持つ二重構造の箱体に脚を付け、其の下部接地面にカセットコンロを設置して加熱源とし、其のカセットコンロの燃焼熱を箱体を構成する調理室内に導炎装置を用いて案内し、調理室内の調理物を加熱調理可能とした構成となっている。又、本考案のカセットコンロ用脚付き加熱調理器では、導炎装置で案内された熱を調理室下方に設置された散熱盤で受け、拡散された熱を散熱盤と箱体底部の二重構造底板との隙間に迂回させ、側壁側に向かう熱風の一部を熱流調整板に沿って前方扉方向に循環させることで調理室内の温度を均一にして焼きムラ防止を図った構成としている。
【０００６】
また、上記構成のカセットコンロ用脚付加熱調理器の箱体正面には、内側に耐熱ガラス、外側に強化ガラスを施した二重構造の扉を配し、調理物の進行状態を確認できるようにするとともに調理室内前方の温度低下防止を図った構造としている。
【０００７】
さらにまた、本考案のカセットコンロ用脚付加熱調理器の箱体を構成する調理室側面内壁に突起状のレールを設け網板、調理板が挿入できるようにし、散熱板に直接調理物の底面が接触するのを防ぎ、調理物底面が過度に加熱するのを防ぐ構成となっている。
【０００８】
本考案のカセットコンロ用脚付加熱調理器の上部を構成する二重構造天板の中央付近には開口部が設けてあり、羽釜、寸胴鍋などの調理器具を搭載可能としている。すなわち、本考案のカセットコンロ用脚付加熱調理器の調理室下方に配する散熱盤及び網板又は調理板を外した状態で、カセットコンロの熱を直接調理器具に受けるようにすることで、かまどとしての機能を持たせることが可能となっている。
【図面の簡単な説明】
【０００９】
【図１】本考案の一実施形態であるカセットコンロ用脚付加熱調理器の概略斜視図である。
【図２】図１のカセットコンロ用脚付加熱調理器の取り外し可能部材を取り外し、正面扉を開いた状態の概略斜視図である。
【図３】図１のカセットコンロ用脚付加熱調理器の正面図である。
【図４】図１のカセットコンロ用脚付加熱調理器の右側面図である。
【図５】図１のカセットコンロ用脚付加熱調理器の左側面図である。
【図６】図１のカセットコンロ用脚付加熱調理器の背面図である。
【図７】図１のカセットコンロ用脚付加熱調理器の平面図である。
【図８】図１のカセットコンロ用脚付加熱調理器の底面図である。
【図９】図１のカセットコンロ用脚付加熱調理器の図７に示すＡ−Ａ線方向に沿った縦断面図である。
【図１０】図１のカセットコンロ用脚付加熱調理器の図４に示すＢ−Ｂ線方向に沿った横断面図である。
【図１１】図１のカセットコンロ用脚付加熱調理器の導炎装置の斜視図である。
【図１２】図１のカセットコンロ用脚付加熱調理器の一実施例を示す正面図である。
【図１３】図１のカセットコンロ用脚付加熱調理器に羽釜を搭載して、かまどとして利用した状態の一実施例である。
【考案を実施するための形態】
【００１０】
以下、本考案の一実施形態を図面に基づいて説明する。実施形態のカセットコンロ用脚付加熱調理器１は、図３〜６に示すように、外形形状を箱型立方体状として、下方４隅に４本の脚柱７を取り付けた形態で構成されている。なを、実施形態では、上下、左右、及び前後の方向は、特に断らない限り、カセットコンロ用脚付加熱調理器１を接地面Ｇ（図３参照）に設置した状態の鉛直方向に沿った方向を上下方向とし、扉外壁３６、強化ガラス１８側を正面として説明する。（図１〜３参照）
【００１１】
本考案のカセットコンロ用脚付加熱調理器１は、調理室３１を構成する箱体１ａ下部の脚柱７の４本の内側にカセットコンロ３８を設置し（図１２〜１３参照）、その燃焼熱を加熱源とした加熱調理器であって、加熱源から上昇した炎を囲うようにして調理室３１内に誘導する為、箱体１ａ下部の二重構造底板１５に設けた底板開口部１６に取り付けた導炎装置２６によって案内し、散熱盤１２で受け止める構成となっている。（図１〜６、８，９，１１，１２参照）
【００１２】
さらに、散熱盤１２で受け止めた熱は、散熱盤１２を加熱するとともに、散熱盤定置金具１３によって保持された散熱盤１２と二重構造底板１５内側との僅かな隙間を調理室内壁３２及び扉内壁２２に向かって誘導し、側壁側に向かう熱の一部を熱流調整板３５によってさらに前方の扉内壁２２方向に迂回させ、調理室３１内の温度ムラが生じない構成としている。（図９，１０参照）
【００１３】
さらにまた、散熱盤１２は、カセットコンロ３８の熱を直接受けて高温加熱されるので、調理物の底部が直接触れないように網板１０を網板ガイドレール１１に挿入し、散熱盤１２と調理物底部との間に隙間を設ける構成となっている。（図９参照）
【００１４】
本考案のカセットコンロ用脚付加熱調理器１は、調理室３１前方に二重構造の扉３７を扉開閉用蝶番２１で連結し、開閉可能としている。また、扉３７中央部に大きな開口部（符号略）を設け、内側に耐熱ガラス１７、外側に強化ガラス１８を施し、のぞき窓としている。また、調理室３１と扉内壁２２は扉連結枠２３を設けて外部からの冷気の侵入を防いでいる。（図３，５，９，１０参照）
【００１５】
さらに、調理室３１の上方には、二重構造天板１４で保熱を図り、中央部に開口部を設け、その天板開口部１４ａの円周に排気孔付釜輪４を施し、天板開口部１４ａは取り外し可能な釜蓋２を用いて調理室３１を閉塞している。なお、調理循環後の熱風は、排気孔付釜輪４の排気孔５より排出する構成としている。（図２，３，７参照）
【００１６】
本考案のカセットコンロ用脚付加熱調理器１は、箱体１ａを構成する調理室３１の下方の散熱盤定置金具１３に設置した散熱盤１２及び網板ガイドレール１１に挿入された網板１０を取り外し、調理室３１の上方、釜蓋２を取り除いた状態で、羽釜３９等の鍋類を搭載することで、かまどとして利用できる特徴を持たせてある。（図２，１３参照）
【００１７】
本考案のカセットコンロ用脚付加熱調理器１は、カセットコンロ３８を熱源としているが、型や大きさの異なる器具を利用可能とする為、導炎装置２６の導炎装置可動部２７を上下動させて高さを調整できるよう構成されている。（図１１参照）
【００１８】
すなわち、導炎装置可動部２７を上下動させることにより、二重構造底板１５より導炎装置可動部２７の最下部までの距離Ｈ２を調整し、導炎装置可動部固定ネジ２８で固定することで高さの異なるカセットコンロ３８を使用可能とすることができる。
【００１９】
また、導炎装置２８で炎を誘導する距離Ｈ１を確保することで、二重構造底板１５からカセットコンロ３８のボンベカバー４１までの距離を保ちボンベカバー４１の加熱を抑制できる形態となっている。
【００２０】
さらに、導炎装置２６の最下部とコンロ五徳４０の隙間Ｈ３を、導炎装置可動部固定ネジで導炎装置可動部２７を固定、確保することで相乗的に過熱するのを防ぐことが出来るので安全である。（図１２参照）
【００２１】
なを、導炎装置２６には、導炎装置遮蔽板ガイドレール３０が設けてあり、導炎装置遮蔽板２９を挿入することで、炊飯後の蒸らし等、調理室３１が急激に冷却するのを防ぐことができる構成となっている。（図１１、１３参照）
【符号の説明】
【００２２】
１    カセットコンロ用脚付加熱調理器
１ａ  箱体
２    釜蓋
３    釜蓋用取っ手
４    排気孔付釜輪
５    排気孔
６    本体取っ手
７    脚柱
８    脚柱終端キャップ
９    脚柱座金
１０  網板
１１  網板ガイドレール
１２  散熱盤
１３  散熱盤定置金具
１４  二重構造天板
１４ａ天板開口部
１５  二重構造底板
１６  底板開口部
１７  耐熱ガラス
１８  強化ガラス
１９  扉ロックつまみ
２０  扉用取っ手
２１  扉開閉用蝶番
２２  扉内壁
２３  扉連結枠
２４  扉ロック爪
２５  ロック爪受け口
２６  導炎装置
２７  導炎装置可動部
２８  導炎装置可動部固定ネジ
２９  導炎装置遮蔽板
３０  導炎装置遮蔽ガイドレール
３１  調理室
３２  調理室内壁
３３  調理室外壁
３４  網板ガイドレール
３５  熱流調節盤
３６  扉外壁
３７  扉
３８  カセットコンロ
３９  羽釜
４０  コンロ五徳
４１  ボンベカバー
Ｇ  接地面
Ｈ１  二重構造底板下部よりボンベカバーまでの距離
Ｈ２  二重構造底板より導炎装置最下部までの距離。
Ｈ３  導炎装置最下部とコンロ五徳の隙間
Ｈ４  散熱盤と二重構造底板の内側の隙間
【図１】
0003182442.tif 000003
【図２】
0003182442.tif 000004
【図３】
0003182442.tif 000005
【図４】
0003182442.tif 000006
【図５】
0003182442.tif 000007
【図６】
0003182442.tif 000008
【図７】
0003182442.tif 000009
【図８】
0003182442.tif 000010
【図９】
0003182442.tif 000011
【図１０】
0003182442.tif 000012
【図１１】
0003182442.tif 000013
【図１２】
0003182442.tif 000014
【図１３】
0003182442.tif 000015